(57)【特許請求の範囲】
【請求項１】
枠体と、この枠体に開閉自在に支持される面材と、この面材の閉鎖状態を維持する閉鎖維持装置とを備えた建具であって、
前記枠体は、アルミ形材製の上枠、下枠および左右の縦枠を有し、前記面材は、前記左右の縦枠の一方と対向して閉じる戸先側の縦框を少なくとも有して構成され、
前記閉鎖維持装置は、前記戸先側の縦框に内蔵される装置本体と、前記一方の縦枠に設けられる受け体とを備え、
前記装置本体は、前記戸先側の縦框から前記受け体に向かって突出した状態から前記戸先側の縦框に内蔵された状態となるまで移動自在であり、磁石を有した移動部を備え、
前記受け体は、前記移動部を磁力により吸引可能に構成され、
前記一方の縦枠は、内部に中空部を有した断面角筒状の縦枠本体を有し、
前記縦枠本体の見付け方向内側の側面は、見込み方向に沿って前記戸先側の縦框と対向可能な見込み面部とされ、
前記受け体は、前記中空部において前記見込み面部の裏側に設けられ、
前記面材の閉鎖状態において、前記移動部および前記受け体が前記見込み面部を介して互いに吸引し合うことで、当該面材の閉鎖状態を維持可能に構成されている建具。
【請求項２】
前記面材における前記戸先側の縦框と反対側の吊り元側が前記枠体に軸支された開き戸であるか、
または
前記面材が一対で構成されて互いに折れ曲がり自在に連結されるとともに、一方の面材における前記戸先側の縦框が前記枠体に回動自在かつスライド自在に支持され、他方の面材における吊り元側が前記枠体に軸支された折れ戸である請求項１に記載の建具。
【請求項３】
前記吊り元側の縦框は、その上下端部に設けられたヒンジ部材を介して前記上枠および下枠に回動自在に支持され、前記ヒンジ部材の回動軸は、当該吊り元側の縦框の見込み方向略中央に位置して設けられている請求項２に記載の建具。
【請求項４】
前記戸先側の縦框における見付け方向外側の面には、前記一方の縦枠の見込み面部と非平行で、かつ前記面材の開放側に向かって当該見込み面部から離れる方向に傾斜した非平行面部が形成されている請求項１から請求項３のいずれかに記載の建具。
【発明の詳細な説明】
【技術分野】
【０００１】
本発明は、枠体に開閉自在に支持された面材の閉鎖状態を維持する維持装置を有した建具に関する。
【背景技術】
【０００２】
従来、各種の開閉形式で面材が開閉される建具において、閉鎖した面材を枠体に対して係止することで面材の閉鎖状態を維持するラッチ装置が利用されている。このようなラッチ装置としては、ばねで付勢されたラッチ部材などがラッチ受けの孔等に機械的に係合する形式であって、面材を閉じた際にラッチ部材がラッチ受けに自動的に係合し、ハンドル操作によってラッチ装置の係合を解除してから面材を開放するものが一般的である（例えば、特許文献１参照）。
特許文献１に記載のラッチ装置は、開き戸（ドア）の戸先框にラッチ本体が設けられるとともに内外のハンドルと接続され、縦枠の見込み面から突出してラッチ受けが取り付けられている。
【先行技術文献】
【特許文献】
【０００３】
【特許文献１】特開２００５−３５０９５２号公報
【発明の概要】
【発明が解決しようとする課題】
【０００４】
しかしながら、特許文献１に記載されたような従来のラッチ装置では、戸先框からラッチ部材が突出して設けられるとともに、縦枠の見込み面から突出してラッチ受けが取り付けられていることから、面材を開放して出入りする際にラッチ部材やラッチ受けに衣服などが引っ掛かる可能性がある。さらに、ラッチ部材やラッチ受けなどの凹凸があることで、建具の清掃性が低下したり、意匠性が低下するなどの不都合とともに、閉鎖状態から開放する際に、ハンドル操作によってラッチ部材を縦框に没入させる必要があり、利便性の面でも劣ってしまうという不都合がある。また、ラッチ本体におけるラッチ部材の突没の機構に加えて、ラッチ本体とハンドルとを接続する必要があり、このラッチ本体を収納する縦框の寸法、特に見込み寸法が大きくなってしまい、面材の薄型化や軽量化を十分に図ることができないという不都合もある。
【０００５】
本発明の目的は、利便性や清掃性、意匠性を高めるとともに薄型化や軽量化を図ることができる建具を提供することにある。
【課題を解決するための手段】
【０００６】
本発明の建具は、枠体と、この枠体に開閉自在に支持される面材と、この面材の閉鎖状態を維持する閉鎖維持装置とを備えた建具であって、前記枠体は、アルミ形材製の上枠、下枠および左右の縦枠を有し、前記面材は、前記左右の縦枠の一方と対向して閉じる戸先側の縦框を少なくとも有して構成され、前記閉鎖維持装置は、前記戸先側の縦框に内蔵される装置本体（第１部材）と、前記一方の縦枠に設けられる受け体（第２部材）とを備え、前記装置本体は、前記戸先側の縦框から前記受け体に向かって突出した状態から前記戸先側の縦框に内蔵された状態となるまで移動自在であり、磁石を有した移動部を備え、前記受け体は、前記移動部を磁力により吸引可能に構成され、前記一方の縦枠は、内部に中空部を有した断面角筒状の縦枠本体を有し、前記縦枠本体の見付け方向内側の側面は、見込み方向に沿って前記戸先側の縦框と対向可能な見込み面部とされ、前記受け体は、前記中空部において前記見込み面部の裏側に設けられ、前記面材の閉鎖状態において、前記移動部および前記受け体が前記見込み面部を介して互いに吸引し合うことで、当該面材の閉鎖状態を維持可能に構成されていることを特徴とする。
【０００７】
ここで、本発明の建具としては、出入り口に用いられるドアや開き窓のように面材が回動開閉自在に支持されたものでもよいし、引戸や引違い窓、片引き窓のように面材がスライド開閉自在に支持されたものでもよく、面材の開閉形式は特に限定されるものではない。すなわち、面材が開閉される際に枠体との間で互いに離間、接近する位置に閉鎖維持装置が設けられていればよく、このような互いに離間、接近する一方としての縦框に第１部材が設けられ、他方としての縦枠、上枠および下枠の少なくとも１つに第２部材が設けられていればよい。また、面材の閉鎖状態において、第１および第２の部材が互いに吸引し合う機構としては、互いに磁力で吸引されるものでもよいし、その他の吸引手段を用いたものでもよい。
【０００８】
以上の本発明によれば、一方の縦枠、上枠および下枠のうちの少なくとも１つにおける見込み面部の裏側（見付け方向外側）に第２部材を設けたことで、見込み面部の表面（見付け方向内側の面であり、意匠面）をフラットに形成することができる。これにより、衣服等の引っ掛かりがなく利便性を高めるとともに、意匠性や清掃性も向上させることができる。また、面材における戸先側の縦框に第１部材を内蔵したことで、面材の開放状態で第１部材を突出させないようにでき、出入り等の際に引っ掛かりを防止して利便性を向上させることができる。また、第１および第２の部材間の吸引力によって面材の閉鎖状態を維持することで、縦框と枠体の見込み面部との間に従来のラッチ装置のような機械的に係合する部材を設ける必要がないことから、開閉する際の衝撃音の発生や振動を抑制することができる。さらに、面材を開放する際にもハンドル操作を不要にして、ハンドルと第１部材とを接続しなくてもよいことから、第１部材を収納する縦框の寸法（特に、見込み寸法）を小さくすることができ、面材の薄型化や軽量化を実現することができる。
【０００９】
この際、本発明の建具では、前記面材における前記戸先側の縦框と反対側の吊り元側が前記枠体に軸支された開き戸であるか、または前記面材が一対で構成されて互いに折れ曲がり自在に連結されるとともに、一方の面材における前記戸先側の縦框が前記枠体に回動自在かつスライド自在に支持され、他方の面材における吊り元側が前記枠体に軸支された折れ戸であることが好ましい。
このような構成によれば、開き戸と折れ戸とで、戸先側の縦框と一方の縦枠、上枠または下枠とにおける閉鎖維持装置の部品や取り付けの納まりを共通化することができる。さらに、面材を交換することで、開き戸から折れ戸に、または折れ戸から開き戸にと、開閉形式を変更することができる。なお、本発明の建具は、開き戸や折れ戸に限らず、枠体における面材の支持構造を工夫する、例えば、レール等を別体のアタッチメントとして取り付けたり取り外して交換したりすることで、引き戸などにも変更することができる。
【００１０】
さらに、本発明の建具では、前記吊り元側の縦框は、その上下端部に設けられたヒンジ部材を介して前記上枠および下枠に回動自在に支持され、前記ヒンジ部材の回動軸は、当該吊り元側の縦框の見込み方向略中央に位置して設けられていることが好ましい。
このような構成によれば、開き戸と折れ戸とにおいて、吊り元側の縦框と他方の縦枠、上枠および下枠との納まりも共通化することができる。さらに、吊り元側の縦框の見込み方向略中央に回動軸を設けることで、面材を開閉する際の吊り元側の縦框の回動軌跡を最小の範囲に限定することができ、他方の縦枠との距離変動（隙間）を一定にして指詰め等可能性を回避することができる。
【００１１】
また、本発明の建具では、前記戸先側の縦框における見付け方向外側の面には、前記一方の縦枠の見込み面部と非平行で、かつ前記面材の開放側に向かって当該見込み面部から離れる方向に傾斜した非平行面部が形成されていることが好ましい。
ここで、非平行面部としては、平面で構成されてもよいし、円弧状や楕円状などの曲面で構成されてもよく、さらには複数の平面を組み合わせた多角形状や、平面と曲面とを組み合わせた形状で構成されてもよい。
このような構成によれば、面材の開放側に向かって見込み面部から離れる方向に傾斜した非平行面部を戸先側の縦框に形成することで、縦枠と縦框との隙間からの排水性を高めるとともに清掃具が入り込みやすくできるとともに、框自体も清掃しやすくなることから清掃性をさらに向上させることができる。また、従来のラッチ装置を設ける必要がないため、縦框に任意形状の非平行面を形成できるとともに、第１部材を設ける戸先側の縦框と他の框との意匠が統一できるなど、縦框および面材の意匠性をさらに向上させることができる。
【図面の簡単な説明】
【００１２】
【図１】本発明の第１実施形態に係る建具を示す正面図である。
【図２】前記建具を示す縦断面図である。
【図３】前記建具を示す横断面図である。
【図４】前記建具の面材を構成する縦框を示す横断面図である。
【図５】前記縦框の変形例を示す横断面図である。
【図６】本発明の第２実施形態に係る建具を示す横断面図である。
【発明を実施するための形態】
【００１３】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１４】
〔第１実施形態〕
図１〜図３において、本実施形態に係る建具である浴室出入り口用のドア１は、図示しない浴室壁や浴室床（防水パン）Ｐ、脱衣室の床Ｆ、額縁Ｇ等に固定される枠体としての建具枠２と、この建具枠２に開閉自在に支持される面材としての障子１０とを備えて構成されている。建具枠２は、それぞれアルミ形材製の上枠３、下枠４および左右の縦枠５，６を四周枠組みして構成されている。障子１０は、それぞれアルミ形材製の上框１１、下框１２および左右の縦框１３，１４を四周框組みした内部に樹脂パネル１５を嵌め込んで構成されている。この障子１０は、図１の右側であり図３の左側である吊元側の縦框１３の上下端部がヒンジ部材であるピボットヒンジ１６を介して上枠３および下枠４に回動自在に支持され、反対側である戸先側の縦框１４が浴室側に開くように支持されている。また、障子１０を閉じた際に戸先側の縦框１４が縦枠６と対向し、これらの縦框１４および縦枠６には、閉鎖状態を維持する閉鎖維持装置２０が設けられている。
【００１５】
縦枠５，６は、図３に示すように、断面角筒状の縦枠本体５Ａ，６Ａと、この縦枠本体５Ａ，６Ａの脱衣室側に延びる固定片部５Ｂ，６Ｂと、縦枠本体５Ａ，６Ａの脱衣室側位置から見付け方向内側に突出する気密材保持部５Ｃ，６Ｃとを有して形成されている。固定片部５Ｂ，６Ｂは、脱衣室側の額縁Ｇに固定され、気密材保持部５Ｃ，６Ｃには、閉じた障子１０の縦框１３，１４に当接可能な気密材５Ｄ，６Ｄが保持されている。また、縦枠本体５Ａ，６Ａは、その内部に中空部５Ｅ，６Ｅを有するとともに、見付け方向内側の側面が見込み方向に延びて閉じた障子１０の縦框１３，１４と対向可能な見込み面部５Ｆ，６Ｆとされている。
【００１６】
縦框１３，１４は、図４(Ａ)にも示すように、断面中空状に形成され、脱衣室側の第１見付け面部１３１，１４１と、浴室側の第２見付け面部１３２，１４２と、第１見付け面部１３１，１４１の見付け方向内端に連続して浴室側に延びる内側面部１３３，１４３と、第１および第２の見付け面部１３１，１３２，１４１，１４２の見付け方向外端を連結して円弧状に形成される非平行面部である外側面部１３４，１４４と、第２見付け面部１３２，１４２と内側面部１３３，１４３とを連結する屈曲部１３５，１４５とを有して形成されている。さらに、縦框１３，１４には、第２見付け面部１３２，１４２の先端部と屈曲部１３５，１４５とで三方を囲まれて見付け方向内側に開口したパネル保持溝１３６，１４６が形成され、このパネル保持溝１３６，１４６によって樹脂パネル１５の側端縁が保持され、図示しない接着テープ等によってパネル保持溝１３６，１４６内部に樹脂パネル１５が固定されている。
【００１７】
吊元側の縦框１３には、その上下端部にピボットヒンジ１６が取り付けられ、このピボットヒンジ１６の回動軸Ｏは、外側面部１３４の円弧形状の中心と略一致した位置に設けられている。すなわち、回動軸Ｏは、吊り元側の縦框１３の見込み方向略中央に位置して設けられている。従って、図３に仮想線（二点鎖線）で示すように、障子１０を開放した際に縦框１３の外側面部１３４および第２見付け面部１３２と、これらに対向する縦枠５の見込み面部５Ｆとの距離が一定に維持されるとともに、第１見付け面部１３１および外側面部１３４と気密材５Ｄとの当接状態も維持されるようになっている。
戸先側の縦框１４には、内側面部１４３に脱衣室側の把手１７が固定され、第２見付け面部１４２に浴室側の把手１８が固定されている。また、縦框１４の上下端部近傍には、閉鎖維持装置２０の装置本体２１が内蔵され、外側面部１４４には、装置本体２１の移動部２４を挿通させる開口１４４Ａが形成されている。
【００１８】
閉鎖維持装置２０は、戸先側の縦框１４に内蔵される第１部材としての装置本体２１と、縦枠６の中空部６Ｅ（つまり、見込み面部６Ｆの裏側）に設けられる第２部材としての受け体２２とを備えて構成されている。装置本体２１は、縦框１４内部に固定される支持部２３と、この支持部２３に移動自在に支持される移動部２４と、この移動部２４を吸引する吸引部２５とを有して構成されている。移動部２４は、その内部に設けられる磁石２６を有して構成され、この磁石２６の磁力によって移動部２４が吸引部２５に吸引されるようになっている。受け体２２は、鉄等の被磁着体または有磁体を有し、障子１０を閉じた際に移動部２４の磁石２６を磁力で吸引可能に構成され、吸引部２５による吸引力よりも強い磁力で移動部２４を吸引することで、縦框１４から移動部２４を突出させ、縦枠６の見込み面部６Ｆを介して移動部２４と受け体２２とが吸着することで、障子１０の閉鎖状態が維持されるようになっている。一方、障子１０を開放した開放状態において、受け体２２から装置本体２１が離隔されることで、受け体２２による吸引が解除された移動部２４は、吸引部２５に吸引されて縦框１４内部に没入し、第２見付け面部１４２から移動部２４が突出しないようになっている。
【００１９】
以上のような閉鎖維持装置２０の装置本体２１を内蔵する戸先側の縦框１４、これと同一断面を有した吊り元側の縦框１３において、各部寸法は、図４(Ａ)に示すように、見付け寸法Ｌ１が２０mm〜４０mm程度であり、見込み寸法Ｌ２が２０mm〜３０mm程度であり、パネル保持溝１３６，１４６の見込み方向の外形寸法Ｌ３が６mm〜８mm程度、見付け方向の外形寸法Ｌ４が８mm程度に設定されている。また、閉鎖維持装置２０における磁石２６の見込み方向幅寸法は１０mm〜１５mm程度に設定されており、この程度のサイズの磁石２６を用いても障子１０の閉鎖状態を十分に維持できることが確認されている。
なお、縦框１３，１４の形状は、図４(Ａ)のものに限らず、図４(Ｂ)に示すように、見付け寸法Ｌ１が５０mm〜１００mm程度であってもよく、このように見付け寸法Ｌ１を適宜に設定することで、見込み寸法Ｌ２を拡大しなくても縦框１３，１４の剛性および強度を高め、これにより障子１０全体の剛性および強度を確保できるようになっている。
さらに、戸先側の縦框１４の形状は、図５(Ａ)〜(Ｄ)に示すように、浴室側の把手１８に代えて把手１８Ａを一体に形成したものや、脱衣室側および浴室側の把手１７，１８に代えて把手１７Ａ，１８Ａを一体に形成したものでもよい。このように縦框１４に把手１７Ａ，１８Ａを一体に形成することで縦框１４の剛性および強度を高めるようにしてもよい。
【００２０】
以上の本実施形態によれば、以下の効果を得ることができる。
すなわち、戸先側の縦枠６における見込み面部６Ｆの裏側である中空部６Ｅ内部に閉鎖維持装置２０の受け体２２を設けたことで、見込み面部６Ｆの表面（意匠面）をフラットに形成することができる。これにより、出入りの際に衣服等の引っ掛かりがなく利便性を高めるとともに、意匠性や清掃性も向上させることができる。また、障子１０における戸先側の縦框１４に装置本体２１を内蔵するとともに、障子１０の開放時に移動部２４が縦框１４内部に没入するようにしたことで、障子１０の開放状態で縦框１４から部材が突出しないようにでき、さらに利便性および清掃性を向上させることができる。また、従来のラッチ装置のような機械的に係合する部材が不要にできることから、障子１０を開閉する際の衝撃音の発生や振動を抑制することができるとともに、障子１０を開放する際にも係合を解除するためのハンドル操作を不要にして、ハンドルと装置本体２１とを接続しなくてもよいことから、装置本体２１を収納する縦框１４の寸法（特に、見込み寸法Ｌ２）が小さくでき、障子１０の薄型化や軽量化を実現することができる。
【００２１】
〔第２実施形態〕
次に、本発明の第２実施形態に係るドア１Ａについて、図６を参照して説明する。本実施形態のドア１Ａは、前記第１実施形態の開き戸であるドア１と相違した折れ戸であるものの、建具枠２、障子１０Ａ，１０Ｂの大半の部材、閉鎖維持装置２０などにおいて部材が共通化されている。以下、相違点を詳しく説明する。
ドア１Ａは、互いに折れ曲がり自在に連結される一対の障子１０Ａ，１０Ｂを有し、一方の面材である障子１０Ａにおける戸先側の縦框１４が建具枠２に回動自在かつスライド自在に支持され、他方の面材である障子１０Ｂにおける吊り元側の縦框１３が建具枠２に軸支された折れ戸であり、縦框１３，１４の構成は前記第１実施形態と同様である。一対の障子１０Ａ，１０Ｂの連結部には、縦框１３，１４に代えて連結框１９が設けられ、これらの連結框１９同士が連結部材１９Ａによって回動自在に連結されている。
【００２２】
本実施形態によれば、前記第１実施形態と同様の効果に加えて、以下の効果を得ることができる。
すなわち、第１実施形態の開き戸であるドア１と第２実施形態の折れ戸であるドア１Ａとで、建具枠２や障子１０，１０Ａ，１０Ｂの各部材（連結框１９を除く）、ピボットヒンジ１６、閉鎖維持装置２０などの部品、各部の取り付けの納まりなどを共通化することができる。さらに、部品を共通化したことにより、障子１０を障子１０Ａ，１０Ｂに交換することで、開き戸から折れ戸に開閉形式を変更したり、または逆に折れ戸から開き戸に開閉形式を変更したりすることができる。
【００２３】
なお、本発明は、前記実施形態に限定されるものではなく、本発明の目的が達成できる他の構成等を含み、以下に示すような変形等も本発明に含まれる。
例えば、前記実施形態においては、浴室出入り口用のドア１，１Ａを例示して説明したが、本発明の建具としては、浴室出入り口用のものに限らず、部屋の入口などに設けられるドアであってもよいし、窓であってもよい。また、前記実施形態では、面材である障子１０が回動開閉可能に設けられた開き戸と、一対の面材が折れ曲がって開閉可能に設けられた折れ戸とを例示したが、面材の開閉形式としては、引戸などのようにスライド開閉可能なものであってもよい。
【００２４】
また、閉鎖維持装置２０としては、前記実施形態のように、戸先側の縦框１４の上下端部に装置本体２１が設けられ、これと対向する縦枠６に受け体２２が設けられたものに限らず、装置本体２１が縦框１４の中間部の１箇所または複数箇所に設けられて、これと対向する縦枠６に受け体２２が設けられていてもよい。さらに、装置本体２１が戸先側の縦框１４の上端部および下端部の少なくとも一方、あるいは上框１１および下框１２の少なくとも一方に設けられて、その移動部２４が上下に突没自在に設けられていてもよく、その場合には、装置本体２１と対向する位置である上枠３および下枠４の少なくとも一方に受け体２２が設けられていればよい。さらに、前記第２実施形態のように建具が折れ戸の場合には、連結框１９の上下端部や連結部材１９Ａの上下端部と、これらと対向する上枠３や下枠４とに閉鎖維持装置２０が設けられていてもよい。
【００２５】
また、前記実施形態の閉鎖維持装置２０では、装置本体２１が障子１０の縦框１４に設けられるとともに受け体２２が縦枠６に設けられていたが、これに限らず、面材に第１部材である受け体が設けられるとともに枠体に第２部材である装置本体が設けられていてもよい。さらに、閉鎖維持装置２０では、移動部２４が突没自在に設けられていたが、これに限らず、突没不能でかつ受け体との間で吸引可能に設けられていてもよい。
また、前記実施形態では、縦枠６が中空部６Ｅを有し、この中空部６Ｅ内部に第２部材である受け体２２が設けられていたが、これに限らず、縦枠６が中空部６Ｅを有さない場合でも見込み面部６Ｆの裏側に第２部材が設けられていればよい。
また、前記実施形態では、縦框１３，１４が円弧状の外側面部１３４，１４４を有して形成されていたが、縦框における見付け方向外側の面（非平行面部）としては、円弧状の形態に限らず、適宜な傾斜面を有した多角形状に形成されていてもよいし、Ｒ形状の面取りを有して形成されていてもよい。
さらに、面材を回動自在に支持するヒンジ部材としては、吊元側の縦框１３の上下端部に設けられたピボットヒンジ１６に限らず、吊元側の縦框１３と縦枠５とに渡って設けられる丁番であってもよい。
【００２６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２７】
１，１Ａ…ドア（建具）、２…建具枠（枠体）、３…上枠、４…下枠、５，６…縦枠、５Ｆ，６Ｆ…見込み面部、１０…障子（面材）、１３，１４…縦框、１６…ピボットヒンジ（ヒンジ部材）、２０…閉鎖維持装置、２１…装置本体（第１部材）、２２…受け体（第２部材）、１３４，１４４…外側面部（非平行面部）、Ｏ…回動軸。
【図１】
0005462137.tif 000002
【図２】
0005462137.tif 000003
【図３】
0005462137.tif 000004
【図４】
0005462137.tif 000005
【図５】
0005462137.tif 000006
【図６】
0005462137.tif 000007